(57)【要約】【課題】段取りステーションにパレット旋回ダイやパレット旋回ベースを不要として段取りステーションを簡素化し、切粉の排出性や仕様の拡張性を向上させる。【解決手段】パレット交換アーム４は、旋回中心部７から偏心した端部に、半径方向外側に向けて突出する一対の支持腕８ａ，８ａを備えたパレット支持部８，８を有し、各パレット支持部８の支持腕８ａ，８ａに、パレット２０を載置可能な回転台１０が回転可能に支持されて、回転台１０を介してパレット２０がパレット支持部８上で回転可能となっている。【選択図】図１
2019018311.tif 000002
【特許請求の範囲】
【請求項１】
工作機械へ水平旋回可能に設けられ、旋回中心部から偏心した端部に、パレット支持部が設けられたパレット交換アームであって、
前記パレット支持部に、前記パレットを載置可能な回転台が設けられて、前記回転台を介して前記パレットが回転可能となっていることを特徴とするパレット交換アーム。
【請求項２】
前記パレット支持部は、前記旋回中心部からの半径方向外側に向けて突出する一対の支持腕を有し、前記回転台は、前記一対の支持腕間に保持される平面視Ｃ字状の板状体であることを特徴とする請求項１に記載のパレット交換アーム。
【請求項３】
前記回転台は、前記一対の支持腕で囲まれる前記パレット支持部の内周側上面に形成された切欠部に嵌合し、前記パレット支持部の上面に固定されるガイドプレートとの間で回転可能に挟持されることを特徴とする請求項２に記載のパレット交換アーム。
【請求項４】
前記回転台は、前記一対の支持腕で囲まれる前記パレット支持部の内周側上面に形成された切欠部に嵌合し、前記パレット支持部の下側で前記回転台に固定されるガイドプレートとの間で前記パレット支持部を回転可能に挟持していることを特徴とする請求項２に記載のパレット交換アーム。
【請求項５】
工作機械の加工室と段取りステーションとの間に、請求項１乃至４の何れかに記載のパレット交換アームが備えられ、前記パレット交換アームを水平旋回させて、前記加工室側と前記段取りステーション側との間でのパレットの受け渡しが行われることを特徴とするパレット交換装置。
【発明の詳細な説明】
【技術分野】
【０００１】
本発明は、工作機械のパレット交換装置に設けられるパレット交換アームと、そのパレット交換アームを用いたパレット交換装置とに関する。
【背景技術】
【０００２】
工作機械のパレット交換装置は、図４に例示するように、昇降及び旋回動作可能なパレット交換アーム３０を備え、ワークを準備する段取りステーション（図４（Ａ）（Ｂ）の下側が段取りステーション側、上側が加工室側となる。）には、ベッド３１上に立設されるパレット旋回ベース３２と、パレット旋回ベース３２上で旋回可能なパレット旋回ダイ３３とが設けられて、パレット交換アーム３０の昇降及び旋回動作により、パレット旋回ダイ３３と、加工室側に設けたテーブル３４との間でパレットＰ，Ｐを交換可能としている。段取りステーション側では、パレット旋回ダイ３３上でパレットＰを回転割出可能となっている。３５は、パレット旋回ダイ３３に係止してパレットＰを位置決めする位置決めピンである。同様のパレット交換装置は、特許文献１，２にも開示されている。
【先行技術文献】
【特許文献】
【０００３】
【特許文献１】特開２００４−３３８０５４号公報
【特許文献２】特開昭６２−３４７４８号公報
【発明の概要】
【発明が解決しようとする課題】
【０００４】
上記従来のパレット交換装置においては、段取りステーション側にパレット旋回ダイ３３やパレット旋回ベース３２を設ける必要があるため、切粉の排出性が悪くなる。また、段取りステーション側では、パレットＰの下側のスペースが、パレット旋回ダイ３３及びパレット旋回ベース３２に占有されるため、ロボットアーム等が進入することができず、仕様拡張に制約を受けてしまう。
【０００５】
そこで、本発明は、段取りステーションにパレット旋回ダイやパレット旋回ベースを不要として段取りステーションを簡素化し、切粉の排出性や仕様の拡張性を向上させることができるパレット交換アーム及びパレット交換装置を提供することを目的としたものである。
【課題を解決するための手段】
【０００６】
上記目的を達成するために、請求項１に記載の発明は、工作機械へ水平旋回可能に設けられ、旋回中心部から偏心した端部に、パレット支持部が設けられたパレット交換アームであって、パレット支持部に、パレットを載置可能な回転台が設けられて、回転台を介してパレットが回転可能となっていることを特徴とする。
請求項２に記載の発明は、請求項１の構成において、パレット支持部は、旋回中心部からの半径方向外側に向けて突出する一対の支持腕を有し、回転台は、一対の支持腕間に保持される平面視Ｃ字状の板状体であることを特徴とする。
請求項３に記載の発明は、請求項２の構成において、回転台は、一対の支持腕で囲まれるパレット支持部の内周側上面に形成された切欠部に嵌合し、パレット支持部の上面に固定されるガイドプレートとの間で回転可能に挟持されることを特徴とする。
請求項４に記載の発明は、請求項２の構成において、回転台は、一対の支持腕で囲まれるパレット支持部の内周側上面に形成された切欠部に嵌合し、パレット支持部の下側で回転台に固定されるガイドプレートとの間でパレット支持部を回転可能に挟持していることを特徴とする。
上記目的を達成するために、請求項５に記載の発明は、パレット交換装置であって、工作機械の加工室と段取りステーションとの間に、請求項１乃至４の何れかに記載のパレット交換アームが備えられ、パレット交換アームを水平旋回させて、加工室側と段取りステーション側との間でのパレットの受け渡しが行われることを特徴とする。
【発明の効果】
【０００７】
本発明によれば、パレット交換アームのパレット支持部に設けた回転台により、パレット支持部上でパレットが回転可能となるため、段取りステーションにパレット旋回ダイやパレット旋回ベースが不要となる。よって、段取りステーションが簡素化してコスト低減に繋がると共に、切粉の排出性や仕様の拡張性（パレットの下側へフォークやロボットアームが容易に進入可能となる等）を向上させることができる。
【図面の簡単な説明】
【０００８】
【図１】パレット交換装置の説明図で、（Ａ）は平面、（Ｂ）は側面をそれぞれ示す。
【図２】（Ａ）は図１のＡ−Ａ線断面図、（Ｂ）はＢ部拡大図である。
【図３】回転台の挟持構造の変更例を示す説明図である。
【図４】従来のパレット交換装置の説明図で、（Ａ）は平面、（Ｂ）は側面、（Ｃ）は正面をそれぞれ示す。
【発明を実施するための形態】
【０００９】
以下、本発明の実施の形態を図面に基づいて説明する。
図１は、パレット交換装置の一例を示す説明図で、（Ａ）が平面、（Ｂ）が側面をそれぞれ示す。右が加工室側、左が段取りステーション側となる。
このパレット交換装置１は、ベッド２上に立設された支持ベース３に、パレット交換アーム４を、昇降及び水平旋回動作可能に設置してなる。パレット交換アーム４の昇降及び旋回機構は、図示しないモータ及び減速機構、油圧シリンダ等のアクチュエータを利用した周知の構造で、支持ベース３内に設けられている。加工室側には、水平方向へ直線移動可能なテーブル５が設けられて、テーブル５の上面には、パレット２０の固定ピン６，６・・が突設されている。
【００１０】
パレット交換アーム４は、支持ベース３に支持される旋回中心部７と、旋回中心部７を中心とした点対称位置に形成される一対のパレット支持部８，８とを備えた板状体である。各パレット支持部８には、旋回中心部７からの半径方向外側に向けて突出する一対の支持腕８ａ，８ａが設けられている。この支持腕８ａ，８ａに囲まれるパレット支持部８の内周縁には、図２に示すように、上面側を上下の厚みの略半分切除した平面視Ｃ字状の切欠部９が、全周に沿って形成されて、この切欠部９に、同じく平面視Ｃ字状で切欠部９と同じ厚みを有する板状の回転台１０が載置されている。
この回転台１０は、パレット交換アーム４の上面に切欠部９の外周に沿ってボルト１２，１２・・で固定された平面視Ｃ字状のガイドプレート１１により、切欠部９下側のパレット支持部８とガイドプレート１１との間に挟持されている。
【００１１】
切欠部９の底面及び内周面でパレット交換アーム４と回転台１０との間と、回転台１０とガイドプレート１１との間には、軸受１３，１３・・がそれぞれ設けられて、回転台１０を、切欠部９と同心円上で回転可能としている。この軸受１３は、ころや滑りガイド等が用いられる。
１４，１４は、各回転台１０ごとにパレット交換アーム４内に設けられた位置決めピンで、エアシリンダ等により回転台１０の外周面に対して出没動作し、回転台１０の所定の旋回角度で回転台１０の外周面に設けた図示しない凹部に係止することで、回転台１０を位置決め可能となっている。
【００１２】
各回転台１０に、パレット２０がそれぞれ着座可能となっている。回転台１０の上面には、長方形の各頂点となる位置に着座用突起１５，１５・・が設けられて、パレット２０の底面に設けた着座用凹部２１，２１・・に嵌合させることで、パレット２０が回転台１０上に着座して回転台１０と一体に回転可能となる。この着座状態では、パレット２０の底部に設けられてテーブル５の固定ピン６，６・・に対応する凹部を備えた固定部２２，２２・・は、回転台１０の内側で下方へ露出している。なお、回転台１０の開放側の両端部の間隔は、パレット２０の隣接する２つの固定部２２，２２の外法よりも大きく設定されているので、回転台１０に固定部２２が干渉することなくパレット２０をパレット支持部８へ出し入れ可能となる。
【００１３】
以上の如く構成されたパレット交換アーム４を用いたパレット交換装置１においては、段取りステーションで、段取りされる図示しないワークを載せたパレット２０を、パレット交換アーム４のパレット支持部８の回転台１０上に着座させ、位置決めピン１４を回転台１０に係止させた状態とすれば、そのままパレット交換アーム４上で段取りが行える。割出しが必要な場合は、位置決めピン１４の係止を解除させれば、パレット２０を回転台１０ごとパレット支持部８上で回転させて任意の角度に割出しすることができる。なお、回転台１０の回転は、回転台１０に設けたギヤ部にウォームギヤ等を噛合させ、ウォームギヤ等の回転駆動によって行ったりしてもよい。
このとき、加工室では、加工済のワークを載せたパレット２０を固定したテーブル５を、反対側のパレット支持部８内に直線移動させれば、パレット２０が回転台１０の内側に進入し、着座用突起１５，１５・・の上方に着座用凹部２１，２１・・が位置した状態となる。
【００１４】
段取り終了後、パレット交換アーム４を旋回可能位置まで上昇させると、加工室側のパレット２０が回転台１０に着座して持ち上げられ、固定部２２，２２・・がテーブル５の固定ピン６，６・・から外れる。
次に、パレット交換アーム４を１８０°水平旋回させると、加工室のパレット２０と段取りステーションのパレット２０とが入れ替わる。この状態でパレット交換アーム４を下降させると、加工室ではパレット２０の固定部２２，２２・・がテーブル５の固定ピン６，６・・により位置決めされ、パレットの交換は終了する。段取りステーションでは、加工済のワークを載せたパレット２０が次工程へ送られる。
【００１５】
このように、上記形態のパレット交換アーム４及びパレット交換装置１によれば、パレット交換アーム４のパレット支持部８に設けた回転台１０により、パレット支持部８上でパレット２０が回転可能となるため、段取りステーションにパレット旋回ダイやパレット旋回ベースが不要となる。よって、段取りステーションが簡素化してコスト低減に繋がると共に、切粉の排出性や仕様の拡張性（パレット２０の下側へフォークやロボットアームが容易に進入可能となる等）を向上させることができる。
【００１６】
なお、パレット支持部８への回転台１０の固定は、ガイドプレート１１で上側から挟持する構造に限らず、図３に示すように、回転台１０の内周側に、切欠部９の下側でパレット支持部８にオーバーラップする垂下部１６を形成して回転台１０を横断面Ｌ字状に形成し、この垂下部１６に、パレット支持部８の下側からガイドプレート１１をボルト１２で固定する構造としてもよい。すなわち、パレット交換アーム４を回転台１０とガイドプレート１１とで挟持する構造である。このようにすればパレット交換アーム４の上面にガイドプレート１１による突起部分がなくなり、切粉の排出性がより向上する。但し、回転台１０でなくガイドプレート１１を横断面Ｌ字状としてパレット交換アーム４を挟持させてもよいし、回転台１０とガイドプレート１１との間に別体の部材を介在させて挟持させてもよい。
【００１７】
一方、切欠部をなくして、回転台をパレット支持部の上面へ回転可能に載置したり、支持腕で囲まれるパレット支持部の内周面に横断面コ字状の溝を形成し、この溝に回転台の外周部分を嵌合させて、パレット支持部における溝の上下部分によって回転台を回転可能に挟持したりする構造も考えられる。
そして、上記形態では、パレット支持部が一対設けられるパレット交換アームについて説明しているが、パレット支持部が３箇所以上設けられるパレット交換アームであっても、本発明の回転台によるパレットの回転支持は可能である。
【符号の説明】
【００１８】
１・・パレット交換装置、２・・ベッド、３・・支持ベース、４・・パレット交換アーム、５・・テーブル、６・・固定ピン、７・・旋回中心部、８・・パレット支持部、８ａ・・支持腕、９・・切欠部、１０・・回転台、１１・・ガイドプレート、１３・・軸受、１４・・位置決めピン、１５・・着座用突起、１６・・垂下部、２０・・パレット、２１・・着座用凹部、２２・・固定部。
【図１】
2019018311.tif 000003
【図２】
2019018311.tif 000004
【図３】
2019018311.tif 000005
【図４】
2019018311.tif 000006